(57)【要約】【課題】本発明は空気加熱マスクを開示した。【解決手段】マスクを含み、前記マスクの中には左右に貫通する紐チャンバが上下に対称的に設置され、両側の前記紐チャンバの間には弾性紐が連結され、前記弾性紐には磨き防止パッドが左右に対称的に固定的に連結され、前記マスクの前端には加熱装置と空気案内装置とが固定的に設置され、前記空気案内装置は駆動装置と吸排気装置とを含み、前記駆動装置は前記マスクの前端に固定的に連結される連結板を含み、本発明は構造が簡単で、操作が便利であり、人がマスク外部から空気を吸うことを補助できるだけではなく、空気を加熱し顔に吹き、皮ふを保護し、また埃を吸い吸気通路を塞ぐことを避ける。【選択図】図１
2020171631.tif 000002
【特許請求の範囲】
【請求項１】
マスクを含み、前記マスクの中には左右に貫通する紐チャンバが上下に対称的に設置され、両側の前記紐チャンバの間には弾性紐が連結され、前記弾性紐には磨き防止パッドが左右に対称的に固定的に連結され、前記マスクの前端には加熱装置と空気案内装置とが固定的に設置され、前記空気案内装置は駆動装置と吸排気装置とを含み、前記駆動装置は前記マスクの前端に固定的に連結される連結板を含み、前記連結板の前端には固定ブロックが固定的に連結され、前記固定ブロックの中にはベルト伝動チャンバが設置され、前記ベルト伝動チャンバの中には駆動輪が回転できるように設置され、前記駆動輪の中には駆動軸が固定的に連結され、前記ベルト伝動チャンバの前側内壁の中にはモータが固定的に設置され、前記駆動軸が前記モータに動力が伝達できるように連結され、前記ベルト伝動チャンバの中には同方向輪が回転できるように設置され、前記同方向輪と前記駆動輪との間には同方向ベルトが連結され、前記駆動輪が前記同方向ベルトを通じて前記同方向輪を駆動し同じ回転方向に回転させることができ、前記同方向輪の中には上回転軸が固定的に連結され、前記ベルト伝動チャンバの中には逆方向輪が回転できるように設置され、前記逆方向輪と前記駆動輪との間には逆方向ベルトが逆方向に連結され、前記駆動輪が前記逆方向ベルトを通じて前記逆方向輪を駆動し逆方向に回転させることができ、前記逆方向輪の中には下回転軸が固定的に連結され、前記連結板の中には方向変更チャンバが設置され、前記駆動軸の後端が前記方向変更チャンバの中に挿入されており、かつ前記駆動軸の後端にはメイン傘歯車が固定的に連結される；前記弾性紐を引っ張り前記マスクを顔に掛け、前記磨き防止パッドが前記弾性紐の耳への磨きを防止でき、前記モータを始動し、ベルト伝動により前記吸排気装置と前記加熱装置とを作動駆動することを特徴とする空気加熱マスク。
【請求項２】
前記吸排気装置は前記マスクの中に固定的に設置される空気排出板を含み、前記空気排出板の中には空気排出チャンバが前後に貫通し設置され、前記空気排出チャンバの前側には上スクリーンが固定的に設置され、前記空気排出チャンバの後側には空気案内網が固定的に設置され、前記マスクの前端の下側には空気入りブロックが固定的に連結され、前記空気入りブロックの中には空気入りチャンバが前方に開口するように設置され、前記空気入りチャンバの前側には下スクリーンが固定的に設置され、前記空気入りチャンバと前記空気排出チャンバとの中には回転子が回転できるように設置され、前記回転子にはリング状で分布されている四つの羽根が固定的に連結され、前記下回転軸と前記上回転軸の後端がそれぞれ前記空気入りチャンバと前記空気排出チャンバとの中に挿入されており、かつそれぞれ二つのチャンバの中にある前記回転子に固定的に連結され、前記空気入りチャンバの上側内壁の中には一方向通路が左右に対称的に連通し設置され、前記一方向通路の中には逆止弁が固定的に設置される；前記下回転軸と前記上回転軸とにより前記羽根を回転連動させ、下側の前記羽根が空気を吸い、上側の前記羽根が空気を排出することを特徴とする請求項１に記載の空気加熱マスク。
【請求項３】
前記加熱装置は前記メイン傘歯車に左右に対称的に噛合しているサブ傘歯車を含み、前記サブ傘歯車のうち中心から離れている一端には伝動軸が固定的に連結され、前記方向変更チャンバの左右両側内壁の中には外部に開口した伝動軸チャンバが連通し設置され、前記連結板の左右両側には前記マスクの中に固定的に連結される断熱ブロックが設置され、両側の前記断熱ブロックの中には歯車チャンバが相対的に開口するように設置され、両側の前記伝動軸がそれぞれ両側の前記歯車チャンバの中に挿入されており、かつ両側の前記伝動軸には駆動歯車が固定的に連結され、前記駆動歯車の前端には従動歯車が噛合し設置され、前記従動歯車の前端にはネジ山ブロックが回転できるように連結され、前記ネジ山ブロックの前端にはねじボルトがネジ山により連結され、前記ねじボルトの前端が外部まで伸びており、かつ前記ねじボルトの前端には手動輪が固定的に連結され、前記従動歯車の後端には連結軸が固定的に連結され、前記断熱ブロックの中には加熱ブロックチャンバが後方に開口するように設置され、前記連結軸が前記加熱ブロックチャンバの中に挿入されており、かつ前記連結軸には扇状輪が固定的に連結され、前記扇状輪の後端面の中には下熱伝導ブロックが固定的に設置され、前記加熱ブロックチャンバの中には固定板が固定的に設置され、前記固定板の中には上熱伝導ブロックが固定的に設置され、前記上熱伝導ブロックの後端には加熱ブロックが当接し設置され、前記下熱伝導ブロックと前記上熱伝導ブロックとが接触するとき、前記加熱ブロックに対し熱を伝導でき、接触面積が大きければ大きいほど熱伝導が速くなり、前記加熱ブロックの中には空気案内溝が設置され、前記空気案内溝の前側が前記一方向通路に連通し、前記空気案内溝の後側が後方に開口しており、前記加熱ブロックの後端には断熱板が固定的に連結される；歯車伝動により前記扇状輪を回転連動させ、それにより前記下熱伝導ブロックを回転連動させて前記上熱伝導ブロックと接触させ、このとき前記加熱ブロックに対し加熱でき、前記一方向通路の中にある空気が前記空気案内溝の中に入り、このとき空気を加熱し顔に排出でき、前記手動輪を回転させ、それにより前記従動歯車を駆動し前記駆動歯車から離脱させ、前記下熱伝導ブロックと前記上熱伝導ブロックとの接触面積を制御でき、空気を異なる温度まで加熱することを特徴とする請求項１又は請求項２に記載の空気加熱マスク。
【発明の詳細な説明】
【技術分野】
【０００１】
本発明は生活用品分野を取り上げて、具体的には空気加熱マスクである。
【背景技術】
【０００２】
冬には保温し、寒さで顔を割れないために、人々がマスクを着用するが、一般的なマスクは保温遮風の効果が良くなく、従って、埃を防止すると同時に空気を加熱するマスクを設計するのが必要となり、本装置は人がマスク外部から空気を吸うことに補助し、また空気を加熱し顔に吹き、皮ふを割れないように保護し、そして埃を吸い吸気通路を塞ぐことを避ける。
【先行技術文献】
【特許文献】
【０００３】
【特許文献１】中国特許出願公開第１０８２０８９７３号明細書
【発明の概要】
【発明が解決しようとする課題】
【０００４】
本発明の目的は空気加熱マスクを提供し、それは上記の現在の技術中の問題を解決できる。
【課題を解決するための手段】
【０００５】
本発明は以下の技術プランを通じて実現する：本発明の空気加熱マスクは、マスクを含み、前記マスクの中には左右に貫通する紐チャンバが上下に対称的に設置され、両側の前記紐チャンバの間には弾性紐が連結され、前記弾性紐には磨き防止パッドが左右に対称的に固定的に連結され、前記マスクの前端には加熱装置と空気案内装置とが固定的に設置され、前記空気案内装置は駆動装置と吸排気装置とを含み、前記駆動装置は前記マスクの前端に固定的に連結される連結板を含み、前記連結板の前端には固定ブロックが固定的に連結され、前記固定ブロックの中にはベルト伝動チャンバが設置され、前記ベルト伝動チャンバの中には駆動輪が回転できるように設置され、前記駆動輪の中には駆動軸が固定的に連結され、前記ベルト伝動チャンバの前側内壁の中にはモータが固定的に設置され、前記駆動軸が前記モータに動力が伝達できるように連結され、前記ベルト伝動チャンバの中には同方向輪が回転できるように設置され、前記同方向輪と前記駆動輪との間には同方向ベルトが連結され、前記駆動輪が前記同方向ベルトを通じて前記同方向輪を駆動し同じ回転方向に回転させることができ、前記同方向輪の中には上回転軸が固定的に連結され、前記ベルト伝動チャンバの中には逆方向輪が回転できるように設置され、前記逆方向輪と前記駆動輪との間には逆方向ベルトが逆方向に連結され、前記駆動輪が前記逆方向ベルトを通じて前記逆方向輪を駆動し逆方向に回転させることができ、前記逆方向輪の中には下回転軸が固定的に連結され、前記連結板の中には方向変更チャンバが設置され、前記駆動軸の後端が前記方向変更チャンバの中に挿入されており、かつ前記駆動軸の後端にはメイン傘歯車が固定的に連結される；前記弾性紐を引っ張り前記マスクを顔に掛け、前記磨き防止パッドが前記弾性紐の耳への磨きを防止でき、前記モータを始動し、ベルト伝動により前記吸排気装置と前記加熱装置とを作動駆動する。
【０００６】
更の技術プラン、前記吸排気装置は前記マスクの中に固定的に設置される空気排出板を含み、前記空気排出板の中には空気排出チャンバが前後に貫通し設置され、前記空気排出チャンバの前側には上スクリーンが固定的に設置され、前記空気排出チャンバの後側には空気案内網が固定的に設置され、前記マスクの前端の下側には空気入りブロックが固定的に連結され、前記空気入りブロックの中には空気入りチャンバが前方に開口するように設置され、前記空気入りチャンバの前側には下スクリーンが固定的に設置され、前記空気入りチャンバと前記空気排出チャンバとの中には回転子が回転できるように設置され、前記回転子にはリング状で分布されている四つの羽根が固定的に連結され、前記下回転軸と前記上回転軸の後端がそれぞれ前記空気入りチャンバと前記空気排出チャンバとの中に挿入されており、かつそれぞれ二つのチャンバの中にある前記回転子に固定的に連結され、前記空気入りチャンバの上側内壁の中には一方向通路が左右に対称的に連通し設置され、前記一方向通路の中には逆止弁が固定的に設置される；前記下回転軸と前記上回転軸とにより前記羽根を回転連動させ、下側の前記羽根が空気を吸い、上側の前記羽根が空気を排出する。
【０００７】
更の技術プラン、前記加熱装置は前記メイン傘歯車に左右に対称的に噛合しているサブ傘歯車を含み、前記サブ傘歯車のうち中心から離れている一端には伝動軸が固定的に連結され、前記方向変更チャンバの左右両側内壁の中には外部に開口した伝動軸チャンバが連通し設置され、前記連結板の左右両側には前記マスクの中に固定的に連結される断熱ブロックが設置され、両側の前記断熱ブロックの中には歯車チャンバが相対的に開口するように設置され、両側の前記伝動軸がそれぞれ両側の前記歯車チャンバの中に挿入されており、かつ両側の前記伝動軸には駆動歯車が固定的に連結され、前記駆動歯車の前端には従動歯車が噛合し設置され、前記従動歯車の前端にはネジ山ブロックが回転できるように連結され、前記ネジ山ブロックの前端にはねじボルトがネジ山により連結され、前記ねじボルトの前端が外部まで伸びており、かつ前記ねじボルトの前端には手動輪が固定的に連結され、前記従動歯車の後端には連結軸が固定的に連結され、前記断熱ブロックの中には加熱ブロックチャンバが後方に開口するように設置され、前記連結軸が前記加熱ブロックチャンバの中に挿入されており、かつ前記連結軸には扇状輪が固定的に連結され、前記扇状輪の後端面の中には下熱伝導ブロックが固定的に設置され、前記加熱ブロックチャンバの中には固定板が固定的に設置され、前記固定板の中には上熱伝導ブロックが固定的に設置され、前記上熱伝導ブロックの後端には加熱ブロックが当接し設置され、前記下熱伝導ブロックと前記上熱伝導ブロックとが接触するとき、前記加熱ブロックに対し熱を伝導でき、接触面積が大きければ大きいほど熱伝導が速くなり、前記加熱ブロックの中には空気案内溝が設置され、前記空気案内溝の前側が前記一方向通路に連通し、前記空気案内溝の後側が後方に開口しており、前記加熱ブロックの後端には断熱板が固定的に連結される；歯車伝動により前記扇状輪を回転連動させ、それにより前記下熱伝導ブロックを回転連動させて前記上熱伝導ブロックと接触させ、このとき前記加熱ブロックに対し加熱でき、前記一方向通路の中にある空気が前記空気案内溝の中に入り、このとき空気を加熱し顔に排出でき、前記手動輪を回転させ、それにより前記従動歯車を駆動し前記駆動歯車から離脱させ、前記下熱伝導ブロックと前記上熱伝導ブロックとの接触面積を制御でき、空気を異なる温度まで加熱する。
【発明の効果】
【０００８】
本発明の有益的な効果は：本発明は構造が簡単で、操作が便利であり、人がマスク外部から空気を吸うことを補助できるだけではなく、空気を加熱し顔に吹き、皮ふを保護し、また埃を吸い吸気通路を塞ぐことを避け、また、手動で加熱空気の温度を制御できる。
【図面の簡単な説明】
【０００９】
【図１】図１は本発明の空気加熱マスクの内部構成略図である；
【図２】図２は図１のＡ−Ａ方向の構成略図である；
【図３】図３は図１のＢ−Ｂ方向の構成略図である。
【発明を実施するための形態】
【００１０】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−３を参照し、本発明の空気加熱マスクは、マスク１１を含み、前記マスク１１の中には左右に貫通する紐チャンバ１２が上下に対称的に設置され、両側の前記紐チャンバ１２の間には弾性紐１３が連結され、前記弾性紐１３には磨き防止パッド１４が左右に対称的に固定的に連結され、前記マスク１１の前端には加熱装置１００と空気案内装置１０１とが固定的に設置され、前記空気案内装置１０１は駆動装置１０２と吸排気装置１０３とを含み、前記駆動装置１０２は前記マスク１１の前端に固定的に連結される連結板２８を含み、前記連結板２８の前端には固定ブロック１９が固定的に連結され、前記固定ブロック１９の中にはベルト伝動チャンバ３３が設置され、前記ベルト伝動チャンバ３３の中には駆動輪２０が回転できるように設置され、前記駆動輪２０の中には駆動軸２１が固定的に連結され、前記ベルト伝動チャンバ３３の前側内壁の中にはモータ３７が固定的に設置され、前記駆動軸２１が前記モータ３７に動力が伝達できるように連結され、前記ベルト伝動チャンバ３３の中には同方向輪３１が回転できるように設置され、前記同方向輪３１と前記駆動輪２０との間には同方向ベルト３０が連結され、前記駆動輪２０が前記同方向ベルト３０を通じて前記同方向輪３１を駆動し同じ回転方向に回転させることができ、前記同方向輪３１の中には上回転軸３２が固定的に連結され、前記ベルト伝動チャンバ３３の中には逆方向輪１８が回転できるように設置され、前記逆方向輪１８と前記駆動輪２０との間には逆方向ベルト１７が逆方向に連結され、前記駆動輪２０が前記逆方向ベルト１７を通じて前記逆方向輪１８を駆動し逆方向に回転させることができ、前記逆方向輪１８の中には下回転軸１６が固定的に連結され、前記連結板２８の中には方向変更チャンバ４２が設置され、前記駆動軸２１の後端が前記方向変更チャンバ４２の中に挿入されており、かつ前記駆動軸２１の後端にはメイン傘歯車４４が固定的に連結される；前記弾性紐１３を引っ張り前記マスク１１を顔に掛け、前記磨き防止パッド１４が前記弾性紐１３の耳への磨きを防止でき、前記モータ３７を始動し、ベルト伝動により前記吸排気装置１０３と前記加熱装置１００とを作動駆動する。
【００１２】
有益的には、前記吸排気装置１０３は前記マスク１１の中に固定的に設置される空気排出板２９を含み、前記空気排出板２９の中には空気排出チャンバ４７が前後に貫通し設置され、前記空気排出チャンバ４７の前側には上スクリーン４５が固定的に設置され、前記空気排出チャンバ４７の後側には空気案内網４６が固定的に設置され、前記マスク１１の前端の下側には空気入りブロック１５が固定的に連結され、前記空気入りブロック１５の中には空気入りチャンバ４１が前方に開口するように設置され、前記空気入りチャンバ４１の前側には下スクリーン３８が固定的に設置され、前記空気入りチャンバ４１と前記空気排出チャンバ４７との中には回転子４０が回転できるように設置され、前記回転子４０にはリング状で分布されている四つの羽根３９が固定的に連結され、前記下回転軸１６と前記上回転軸３２の後端がそれぞれ前記空気入りチャンバ４１と前記空気排出チャンバ４７との中に挿入されており、かつそれぞれ二つのチャンバの中にある前記回転子４０に固定的に連結され、前記空気入りチャンバ４１の上側内壁の中には一方向通路２３が左右に対称的に連通し設置され、前記一方向通路２３の中には逆止弁２２が固定的に設置される；前記下回転軸１６と前記上回転軸３２とにより前記羽根３９を回転連動させ、下側の前記羽根３９が空気を吸い、上側の前記羽根３９が空気を排出する。
【００１３】
有益的には、前記加熱装置１００は前記メイン傘歯車４４に左右に対称的に噛合しているサブ傘歯車４３を含み、前記サブ傘歯車４３のうち中心から離れている一端には伝動軸３６が固定的に連結され、前記方向変更チャンバ４２の左右両側内壁の中には外部に開口した伝動軸チャンバ２７が連通し設置され、前記連結板２８の左右両側には前記マスク１１の中に固定的に連結される断熱ブロック２４が設置され、両側の前記断熱ブロック２４の中には歯車チャンバ２６が相対的に開口するように設置され、両側の前記伝動軸３６がそれぞれ両側の前記歯車チャンバ２６の中に挿入されており、かつ両側の前記伝動軸３６には駆動歯車３４が固定的に連結され、前記駆動歯車３４の前端には従動歯車２５が噛合し設置され、前記従動歯車２５の前端にはネジ山ブロック４８が回転できるように連結され、前記ネジ山ブロック４８の前端にはねじボルト５０がネジ山により連結され、前記ねじボルト５０の前端が外部まで伸びており、かつ前記ねじボルト５０の前端には手動輪５１が固定的に連結され、前記従動歯車２５の後端には連結軸３５が固定的に連結され、前記断熱ブロック２４の中には加熱ブロックチャンバ５２が後方に開口するように設置され、前記連結軸３５が前記加熱ブロックチャンバ５２の中に挿入されており、かつ前記連結軸３５には扇状輪５３が固定的に連結され、前記扇状輪５３の後端面の中には下熱伝導ブロック５５が固定的に設置され、前記加熱ブロックチャンバ５２の中には固定板５４が固定的に設置され、前記固定板５４の中には上熱伝導ブロック５６が固定的に設置され、前記上熱伝導ブロック５６の後端には加熱ブロック５７が当接し設置され、前記下熱伝導ブロック５５と前記上熱伝導ブロック５６とが接触するとき、前記加熱ブロック５７に対し熱を伝導でき、接触面積が大きければ大きいほど熱伝導が速くなり、前記加熱ブロック５７の中には空気案内溝５９が設置され、前記空気案内溝５９の前側が前記一方向通路２３に連通し、前記空気案内溝５９の後側が後方に開口しており、前記加熱ブロック５７の後端には断熱板５８が固定的に連結される；歯車伝動により前記扇状輪５３を回転連動させ、それにより前記下熱伝導ブロック５５を回転連動させて前記上熱伝導ブロック５６と接触させ、このとき前記加熱ブロック５７に対し加熱でき、前記一方向通路２３の中にある空気が前記空気案内溝５９の中に入り、このとき空気を加熱し顔に排出でき、前記手動輪５１を回転させ、それにより前記従動歯車２５を駆動し前記駆動歯車３４から離脱させ、前記下熱伝導ブロック５５と前記上熱伝導ブロック５６との接触面積を制御でき、空気を異なる温度まで加熱する。
【００１４】
使用するとき、弾性紐１３を引っ張りマスク１１を顔に掛け、磨き防止パッド１４が弾性紐１３の耳への磨きを防止でき、モータ３７を始動し、ベルト伝動により下回転軸１６と上回転軸３２を回転連動させ、それにより羽根３９を回転連動させ、下側の羽根３９が空気を吸え、また空気を一方向通路２３を通じて空気案内溝５９の中に送り、逆止弁２２は加熱された空気の圧力が増加し逆方向に流動することを防止でき、同時に駆動軸２１が歯車伝動により連結軸３５を回転連動させ、そして扇状輪５３を回転連動させ、それにより下熱伝導ブロック５５を回転連動させて上熱伝導ブロック５６と接触させ、このとき加熱ブロック５７に対し加熱でき、一方向通路２３の中にある空気が空気案内溝５９の中に入り、このとき空気を加熱し顔に排出でき、手動輪５１を回転させ、それにより従動歯車２５を駆動し駆動歯車３４から離脱させ、下熱伝導ブロック５５と上熱伝導ブロック５６との接触面積を制御でき、空気を異なる温度まで加熱し、加熱された空気が顔とマスクとの間で上へ流れ、同時に上側の羽根３９を通じて空気を排出でき、熱い空気が上に流れ続けて視線に影響することを避け、使用する過程に、上スクリーン４５と下スクリーン３８とが埃が空気通路に入ることを防止できる。
【００１５】
有益的な効果は：本発明は構造が簡単で、操作が便利であり、人がマスク外部から空気を吸うことを補助できるだけではなく、空気を加熱し顔に吹き、皮ふを保護し、また埃を吸い吸気通路を塞ぐことを避け、また、手動で加熱空気の温度を制御できる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171631.tif 000003
【図２】
2020171631.tif 000004
【図３】
2020171631.tif 000005
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
マスクを含み、前記マスクの中には上下に配列している二つの紐チャンバが設置され、二つの前記紐チャンバが上下に対称的であり、弾性紐が上下両側の前記紐チャンバを貫通しており、前記弾性紐には二つの摩擦防止パッドが固定的に設置され、二つの前記摩擦防止パッドが左右に対称的であり、前記マスクの前端には加熱装置と空気案内装置とが固定的に設置され、前記空気案内装置は駆動装置と吸排気装置とを含み、前記駆動装置は前記マスクの前端に固定的に連結される連結板を含み、前記連結板の前端には固定ブロックが固定的に連結され、前記固定ブロックの中にはベルト伝動チャンバが設置され、前記ベルト伝動チャンバの中には駆動輪が回転できるように設置され、前記駆動輪の中には駆動軸が固定的に連結され、前記ベルト伝動チャンバの前側内壁の中にはモータが固定的に設置され、前記駆動軸が前記モータに動力が伝達できるように連結され、前記ベルト伝動チャンバの中には同方向輪が回転できるように設置され、前記同方向輪と前記駆動輪との間には第一伝動ベルトが連結され、前記駆動輪が前記第一伝動ベルトを通じて前記同方向輪を駆動し同じ回転方向に回転させることができ、前記同方向輪の中には上回転軸が固定的に連結され、前記ベルト伝動チャンバの中には逆方向輪が回転できるように設置され、前記逆方向輪と前記駆動輪との間には第二伝動ベルトが周設され、前記逆方向輪と前記駆動輪との間が前記第二伝動ベルトの巻きにより同じ方向への回転を実現でき、前記駆動輪が前記第二伝動ベルトを通じて前記逆方向輪を駆動し逆方向に回転させることができ、前記逆方向輪の中には下回転軸が固定的に連結され、前記連結板の中には方向変更チャンバが設置され、前記駆動軸には前記方向変更チャンバの中に位置しているメイン傘歯車が固定的に設置され、
前記弾性紐を引っ張り前記マスクを顔に掛け、前記摩擦防止パッドが前記弾性紐の耳への摩擦を防止でき、前記モータを始動し、ベルト伝動により前記吸排気装置と前記加熱装置とを作動駆動し、
前記吸排気装置は前記マスクの中に固定的に設置される空気排出板を含み、前記空気排出板の中には空気排出チャンバが前後に貫通し設置され、前記空気排出チャンバの前側には上スクリーンが固定的に設置され、前記空気排出チャンバの後側には空気案内網が固定的に設置され、前記マスクの前端の下側には空気入りブロックが固定的に連結され、前記空気入りブロックの中には空気入りチャンバが前方に開口するように設置され、前記空気入りチャンバの前側には下スクリーンが固定的に設置され、前記空気入りチャンバと前記空気排出チャンバとの中には回転子が回転できるように設置され、前記回転子にはリング状で分布されている四つの羽根が固定的に連結され、前記下回転軸と前記上回転軸の後端がそれぞれ前記空気入りチャンバと前記空気排出チャンバとの中に挿入されており、かつそれぞれ二つのチャンバの中にある前記回転子に固定的に連結され、前記空気入りチャンバの上側内壁の中には二つの一方向通路が連通するように設置され、二つの前記一方向通路が左右に対称的であり、前記一方向通路の中には逆止弁が固定的に設置され、
前記下回転軸と前記上回転軸とにより前記羽根を回転連動させ、下側の前記羽根が空気を吸い、上側の前記羽根が空気を排出し、
前記加熱装置は前記メイン傘歯車に左右に対称的に噛合しているサブ傘歯車を含み、前記サブ傘歯車のうち中心から離れている一端には伝動軸が固定的に連結され、前記方向変更チャンバの左右両側内壁の中には前記方向変更チャンバに連通している伝動軸チャンバが設置され、前記連結板の左右両側には前記マスクの中に固定的に連結される断熱ブロックが設置され、両側の前記断熱ブロックの中には向かい合って開口した歯車チャンバが設置され、両側の前記伝動軸がそれぞれ両側の前記歯車チャンバの中に挿入されており、かつ両側の前記伝動軸には駆動歯車が固定的に連結され、前記駆動歯車の前端には従動歯車が噛合し設置され、前記従動歯車の前端にはネジ山ブロックが回転できるように連結され、前記ネジ山ブロックの前端にはねじボルトがネジ山により連結され、前記ねじボルトの前端が外部まで伸びており、かつ前記ねじボルトの前端には手動輪が固定的に連結され、前記従動歯車の後端には連結軸が固定的に連結され、前記断熱ブロックの中には加熱ブロックチャンバが後方に開口するように設置され、前記連結軸が前記加熱ブロックチャンバの中に挿入されており、かつ前記連結軸には扇状輪が固定的に連結され、前記扇状輪の後端面の中には下熱伝導ブロックが固定的に設置され、前記加熱ブロックチャンバの中には固定板が固定的に設置され、前記固定板の中には上熱伝導ブロックが固定的に設置され、前記上熱伝導ブロックの後端には加熱ブロックが当接し設置され、前記下熱伝導ブロックと前記上熱伝導ブロックとが接触するとき、前記加熱ブロックに対し熱を伝導でき、接触面積が大きければ大きいほど熱伝導が速くなり、前記加熱ブロックの中には空気案内溝が設置され、前記空気案内溝の前側が前記一方向通路に連通し、前記空気案内溝の後側が後方に開口しており、前記加熱ブロックの後端には断熱板が固定的に連結されることを特徴とする空気加熱マスク。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には空気加熱マスクである。
【背景技術】
【０００２】
冬には保温し、寒さで顔を割れないために、人々がマスクを着用するが、一般的なマスクは保温遮風の効果が良くなく、従って、埃を防止すると同時に空気を加熱するマスクを設計するのが必要となり、本装置は人がマスク外部から空気を吸うことに補助し、また空気を加熱し顔に吹き、皮ふを割れないように保護し、そして埃を吸い吸気通路を塞ぐことを避ける。
【先行技術文献】
【特許文献】
【０００３】
【特許文献１】中国特許出願公開第１０８２０８９７３号明細書
【発明の概要】
【発明が解決しようとする課題】
【０００４】
本発明の目的は空気加熱マスクを提供し、それは上記の現在の技術中の問題を解決できる。
【課題を解決するための手段】
【０００５】
本発明は以下の技術プランを通じて実現する：本発明の空気加熱マスクは、マスクを含み、前記マスクの中には上下に配列している二つの紐チャンバが設置され、二つの前記紐チャンバが上下に対称的であり、弾性紐が上下両側の前記紐チャンバを貫通しており、前記弾性紐には二つの摩擦防止パッドが固定的に設置され、二つの前記摩擦防止パッドが左右に対称的であり、前記マスクの前端には加熱装置と空気案内装置とが固定的に設置され、前記空気案内装置は駆動装置と吸排気装置とを含み、前記駆動装置は前記マスクの前端に固定的に連結される連結板を含み、前記連結板の前端には固定ブロックが固定的に連結され、前記固定ブロックの中にはベルト伝動チャンバが設置され、前記ベルト伝動チャンバの中には駆動輪が回転できるように設置され、前記駆動輪の中には駆動軸が固定的に連結され、前記ベルト伝動チャンバの前側内壁の中にはモータが固定的に設置され、前記駆動軸が前記モータに動力が伝達できるように連結され、前記ベルト伝動チャンバの中には同方向輪が回転できるように設置され、前記同方向輪と前記駆動輪との間には第一伝動ベルトが連結され、前記駆動輪が前記第一伝動ベルトを通じて前記同方向輪を駆動し同じ回転方向に回転させることができ、前記同方向輪の中には上回転軸が固定的に連結され、前記ベルト伝動チャンバの中には逆方向輪が回転できるように設置され、前記逆方向輪と前記駆動輪との間には第二伝動ベルトが周設され、前記逆方向輪と前記駆動輪との間が前記第二伝動ベルトの巻きにより同じ方向への回転を実現でき、前記駆動輪が前記第二伝動ベルトを通じて前記逆方向輪を駆動し逆方向に回転させることができ、前記逆方向輪の中には下回転軸が固定的に連結され、前記連結板の中には方向変更チャンバが設置され、前記駆動軸には前記方向変更チャンバの中に位置しているメイン傘歯車が固定的に設置され、
前記弾性紐を引っ張り前記マスクを顔に掛け、前記摩擦防止パッドが前記弾性紐の耳への摩擦を防止でき、前記モータを始動し、ベルト伝動により前記吸排気装置と前記加熱装置とを作動駆動する。
【０００６】
更の技術プラン、前記吸排気装置は前記マスクの中に固定的に設置される空気排出板を含み、前記空気排出板の中には空気排出チャンバが前後に貫通し設置され、前記空気排出チャンバの前側には上スクリーンが固定的に設置され、前記空気排出チャンバの後側には空気案内網が固定的に設置され、前記マスクの前端の下側には空気入りブロックが固定的に連結され、前記空気入りブロックの中には空気入りチャンバが前方に開口するように設置され、前記空気入りチャンバの前側には下スクリーンが固定的に設置され、前記空気入りチャンバと前記空気排出チャンバとの中には回転子が回転できるように設置され、前記回転子にはリング状で分布されている四つの羽根が固定的に連結され、前記下回転軸と前記上回転軸の後端がそれぞれ前記空気入りチャンバと前記空気排出チャンバとの中に挿入されており、かつそれぞれ二つのチャンバの中にある前記回転子に固定的に連結され、前記空気入りチャンバの上側内壁の中には二つの一方向通路が連通するように設置され、二つの前記一方向通路が左右に対称的であり、前記一方向通路の中には逆止弁が固定的に設置され、
前記下回転軸と前記上回転軸とにより前記羽根を回転連動させ、下側の前記羽根が空気を吸い、上側の前記羽根が空気を排出する。
【０００７】
更の技術プラン、前記加熱装置は前記メイン傘歯車に左右に対称的に噛合しているサブ傘歯車を含み、前記サブ傘歯車のうち中心から離れている一端には伝動軸が固定的に連結され、前記方向変更チャンバの左右両側内壁の中には前記方向変更チャンバに連通している伝動軸チャンバが設置され、前記連結板の左右両側には前記マスクの中に固定的に連結される断熱ブロックが設置され、両側の前記断熱ブロックの中には向かい合って開口した歯車チャンバが設置され、両側の前記伝動軸がそれぞれ両側の前記歯車チャンバの中に挿入されており、かつ両側の前記伝動軸には駆動歯車が固定的に連結され、前記駆動歯車の前端には従動歯車が噛合し設置され、前記従動歯車の前端にはネジ山ブロックが回転できるように連結され、前記ネジ山ブロックの前端にはねじボルトがネジ山により連結され、前記ねじボルトの前端が外部まで伸びており、かつ前記ねじボルトの前端には手動輪が固定的に連結され、前記従動歯車の後端には連結軸が固定的に連結され、前記断熱ブロックの中には加熱ブロックチャンバが後方に開口するように設置され、前記連結軸が前記加熱ブロックチャンバの中に挿入されており、かつ前記連結軸には扇状輪が固定的に連結され、前記扇状輪の後端面の中には下熱伝導ブロックが固定的に設置され、前記加熱ブロックチャンバの中には固定板が固定的に設置され、前記固定板の中には上熱伝導ブロックが固定的に設置され、前記上熱伝導ブロックの後端には加熱ブロックが当接し設置され、前記下熱伝導ブロックと前記上熱伝導ブロックとが接触するとき、前記加熱ブロックに対し熱を伝導でき、接触面積が大きければ大きいほど熱伝導が速くなり、前記加熱ブロックの中には空気案内溝が設置され、前記空気案内溝の前側が前記一方向通路に連通し、前記空気案内溝の後側が後方に開口しており、前記加熱ブロックの後端には断熱板が固定的に連結される。
【発明の効果】
【０００８】
本発明の有益的な効果は：本発明は構造が簡単で、操作が便利であり、人がマスク外部から空気を吸うことを補助できるだけではなく、空気を加熱し顔に吹き、皮ふを保護し、また埃を吸い吸気通路を塞ぐことを避け、また、手動で加熱空気の温度を制御できる。
【図面の簡単な説明】
【０００９】
【図１】図１は本発明の空気加熱マスクの内部構成略図
【図２】図２は図１のＡ−Ａ方向の構成略図
【図３】図３は図１のＢ−Ｂ方向の構成略図
【発明を実施するための形態】
【００１０】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−３を参照し、本発明の空気加熱マスクは、マスク１１を含み、前記マスク１１の中には上下に配列している二つの紐チャンバ１２が設置され、二つの前記紐チャンバ１２が上下に対称的であり、弾性紐１３が上下両側の前記紐チャンバ１２を貫通しており、前記弾性紐１３には二つの摩擦防止パッド１４が固定的に設置され、二つの前記摩擦防止パッド１４が左右に対称的であり、前記マスク１１の前端には加熱装置１００と空気案内装置１０１とが固定的に設置され、前記空気案内装置１０１は駆動装置１０２と吸排気装置１０３とを含み、前記駆動装置１０２は前記マスク１１の前端に固定的に連結される連結板２８を含み、前記連結板２８の前端には固定ブロック１９が固定的に連結され、前記固定ブロック１９の中にはベルト伝動チャンバ３３が設置され、前記ベルト伝動チャンバ３３の中には駆動輪２０が回転できるように設置され、前記駆動輪２０の中には駆動軸２１が固定的に連結され、前記ベルト伝動チャンバ３３の前側内壁の中にはモータ３７が固定的に設置され、前記駆動軸２１が前記モータ３７に動力が伝達できるように連結され、前記ベルト伝動チャンバ３３の中には同方向輪３１が回転できるように設置され、前記同方向輪３１と前記駆動輪２０との間には第一伝動ベルト３０が連結され、前記駆動輪２０が前記第一伝動ベルト３０を通じて前記同方向輪３１を駆動し同じ回転方向に回転させることができ、前記同方向輪３１の中には上回転軸３２が固定的に連結され、前記ベルト伝動チャンバ３３の中には逆方向輪１８が回転できるように設置され、前記逆方向輪１８と前記駆動輪２０との間には第二伝動ベルト１７が周設され、前記逆方向輪１８と前記駆動輪２０との間が前記第二伝動ベルト１７の巻きにより同じ方向への回転を実現でき、前記駆動輪２０が前記第二伝動ベルト１７を通じて前記逆方向輪１８を駆動し逆方向に回転させることができ、前記逆方向輪１８の中には下回転軸１６が固定的に連結され、前記連結板２８の中には方向変更チャンバ４２が設置され、前記駆動軸２１には前記方向変更チャンバ４２の中に位置しているメイン傘歯車４４が固定的に設置され、
前記弾性紐１３を引っ張り前記マスク１１を顔に掛け、前記摩擦防止パッド１４が前記弾性紐１３の耳への摩擦を防止でき、前記モータ３７を始動し、ベルト伝動により前記吸排気装置１０３と前記加熱装置１００とを作動駆動する。
【００１２】
有益的には、前記吸排気装置１０３は前記マスク１１の中に固定的に設置される空気排出板２９を含み、前記空気排出板２９の中には空気排出チャンバ４７が前後に貫通し設置され、前記空気排出チャンバ４７の前側には上スクリーン４５が固定的に設置され、前記空気排出チャンバ４７の後側には空気案内網４６が固定的に設置され、前記マスク１１の前端の下側には空気入りブロック１５が固定的に連結され、前記空気入りブロック１５の中には空気入りチャンバ４１が前方に開口するように設置され、前記空気入りチャンバ４１の前側には下スクリーン３８が固定的に設置され、前記空気入りチャンバ４１と前記空気排出チャンバ４７との中には回転子４０が回転できるように設置され、前記回転子４０にはリング状で分布されている四つの羽根３９が固定的に連結され、前記下回転軸１６と前記上回転軸３２の後端がそれぞれ前記空気入りチャンバ４１と前記空気排出チャンバ４７との中に挿入されており、かつそれぞれ二つのチャンバの中にある前記回転子４０に固定的に連結され、前記空気入りチャンバ４１の上側内壁の中には二つの一方向通路２３が連通するように設置され、二つの前記一方向通路２３が左右に対称的であり、前記一方向通路２３の中には逆止弁２２が固定的に設置され、
前記下回転軸１６と前記上回転軸３２とにより前記羽根３９を回転連動させ、下側の前記羽根３９が空気を吸い、上側の前記羽根３９が空気を排出する。
【００１３】
有益的には、前記加熱装置１００は前記メイン傘歯車４４に左右に対称的に噛合しているサブ傘歯車４３を含み、前記サブ傘歯車４３のうち中心から離れている一端には伝動軸３６が固定的に連結され、前記方向変更チャンバ４２の左右両側内壁の中には前記方向変更チャンバ４２に連通している伝動軸チャンバ２７が設置され、前記連結板２８の左右両側には前記マスク１１の中に固定的に連結される断熱ブロック２４が設置され、両側の前記断熱ブロック２４の中には向かい合って開口した歯車チャンバ２６が設置され、両側の前記伝動軸３６がそれぞれ両側の前記歯車チャンバ２６の中に挿入されており、かつ両側の前記伝動軸３６には駆動歯車３４が固定的に連結され、前記駆動歯車３４の前端には従動歯車２５が噛合し設置され、前記従動歯車２５の前端にはネジ山ブロック４８が回転できるように連結され、前記ネジ山ブロック４８の前端にはねじボルト５０がネジ山により連結され、前記ねじボルト５０の前端が外部まで伸びており、かつ前記ねじボルト５０の前端には手動輪５１が固定的に連結され、前記従動歯車２５の後端には連結軸３５が固定的に連結され、前記断熱ブロック２４の中には加熱ブロックチャンバ５２が後方に開口するように設置され、前記連結軸３５が前記加熱ブロックチャンバ５２の中に挿入されており、かつ前記連結軸３５には扇状輪５３が固定的に連結され、前記扇状輪５３の後端面の中には下熱伝導ブロック５５が固定的に設置され、前記加熱ブロックチャンバ５２の中には固定板５４が固定的に設置され、前記固定板５４の中には上熱伝導ブロック５６が固定的に設置され、前記上熱伝導ブロック５６の後端には加熱ブロック５７が当接し設置され、前記下熱伝導ブロック５５と前記上熱伝導ブロック５６とが接触するとき、前記加熱ブロック５７に対し熱を伝導でき、接触面積が大きければ大きいほど熱伝導が速くなり、前記加熱ブロック５７の中には空気案内溝５９が設置され、前記空気案内溝５９の前側が前記一方向通路２３に連通し、前記空気案内溝５９の後側が後方に開口しており、前記加熱ブロック５７の後端には断熱板５８が固定的に連結される。
【００１４】
使用するとき、弾性紐１３を引っ張りマスク１１を顔に掛け、摩擦防止パッド１４が弾性紐１３の耳への摩擦を防止でき、モータ３７を始動し、ベルト伝動により下回転軸１６と上回転軸３２を回転連動させ、それにより羽根３９を回転連動させ、下側の羽根３９が空気を吸え、また空気を一方向通路２３を通じて空気案内溝５９の中に送り、逆止弁２２は加熱された空気の圧力が増加し逆方向に流動することを防止でき、同時に駆動軸２１が歯車伝動により連結軸３５を回転連動させ、そして扇状輪５３を回転連動させ、それにより下熱伝導ブロック５５を回転連動させて上熱伝導ブロック５６と接触させ、このとき加熱ブロック５７に対し加熱でき、一方向通路２３の中にある空気が空気案内溝５９の中に入り、このとき空気を加熱し顔に排出でき、手動輪５１を回転させ、それにより従動歯車２５を駆動し駆動歯車３４から離脱させ、下熱伝導ブロック５５と上熱伝導ブロック５６との接触面積を制御でき、空気を異なる温度まで加熱し、加熱された空気が顔とマスクとの間で上へ流れ、同時に上側の羽根３９を通じて空気を排出でき、熱い空気が上に流れ続けて視線に影響することを避け、使用する過程に、上スクリーン４５と下スクリーン３８とが埃が空気通路に入ることを防止できる。
【００１５】
有益的な効果は：本発明は構造が簡単で、操作が便利であり、人がマスク外部から空気を吸うことを補助できるだけではなく、空気を加熱し顔に吹き、皮ふを保護し、また埃を吸い吸気通路を塞ぐことを避け、また、手動で加熱空気の温度を制御できる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。